(57)【要約】ネットワークノードを形成するラック内のスロットに対して適切に挿入されるようなタイプの通信インタフェースネットワークカード。当該カードは、当該カードに到着する通信トラフィックと当該カードから送出される通信トラフィックについて当該ノードへのインターフェースを提供する。典型的には、挿抜可能なモジュールを受け入れるレセプタクルを備える。モジュールは、光インタフェースとしてのレーザと受信機を含む。これにより、１つのカードを、いくつかの光インターフェースとともに使用可能となる。複数のカードが列をなすことを避けるために、各モジュールは、特定のタイプのトラフィック（例:特定の距離や特定のデータレート）に対して専用のものとされる。
2007518322.tif 000002
【特許請求の範囲】
【請求項１】
通信ネットワークインタフェースカード用の挿抜可能なモジュールであって、前記通信ネットワークインタフェースカードは、スモール・フォーム・プラガブル（ＳＦＰ）によるレセプタクルインタフェースを備え、前記挿抜可能なモジュールは、一方の側面が、前記スモール・フォーム・プラガブルのレセプタクルインタフェースによって受け入れられるように構成されており、かつ、前記挿抜可能なモジュールは、他方の側面が、他の通信ネットワークユニットと電気的に接続するように構成されており、かつ、この電気的な接続は、予め定められた電気的なインタフェースレートに対して互換性を有していることを特徴とする挿抜可能なモジュール。
【請求項２】
前記挿抜可能なモジュールは、ＳＯＮＥＴ、ＳＤＨまたはＰＤＨのインタフェースレートに対して適合していることを特徴とする請求項１に記載の挿抜可能なモジュール。
【請求項３】
前記挿抜可能なモジュールは、ＳＤＨ ＳＴＭ−ｎの電気的レートでもってインターフェースするように適合していることを特徴とする請求項２に記載の挿抜可能なモジュール。
【請求項４】
挿抜可能なモジュールであって、添付の図面によって実質的に示された構成を有することを特徴とする挿抜可能なモジュール。
【請求項５】
通信ネットワークインタフェースカード用の挿抜可能なモジュールであって、光インタフェースを受け入れるためのレセプタクルと、電気的なインターフェースとを備えることを特徴とするモジュール。
【請求項６】
前記モジュールは、プラスチック素材によるブロック内に成形されたコネクタを含むことを特徴とする請求項５に記載のモジュール。
【請求項７】
通信ネットワークインタフェースカードとインターフェースするための接点を有するプリント基板回路が、前記プラスチック素材によるブロック内に形成されていることを特徴とする請求項６に記載のモジュール。
【請求項８】
前記モジュールは、ＩＴＵのＳＯＮＥＴ、ＳＤＨまたはＰＤＨのインタフェースレートに対して適合していることを特徴とする請求項６または７に記載のモジュール。
【請求項９】
前記モジュールは、ＳＤＨ ＳＴＭ−ｎの電気的レートでもってインターフェースするように適合していることを特徴とする請求項８に記載のモジュール。
【請求項１０】
モジュールであって、添付の図面によって実質的に示された構成を有することを特徴とするモジュール。
【発明の詳細な説明】
【技術分野】
【０００１】
本発明は、通信ネットワークインタフェースカード用の挿抜可能なモジュールに関連する。このようなカードは、アクセスハブなどのネットワークノードを形成するラック内のスロットに対して適切に挿抜される。当該カードは、当該カードに到着する通信トラフィックと当該カードから送出される通信トラフィックについて当該アクセスハブにインターフェースを提供する。また、アクセスハブは、バックプレーンを介して、複数カード間の通信を提供する。アクセスハブは、ネットワークにおける他のノードと通信する。
【背景技術】
【０００２】
カードに到着する通信トラフィックは、光信号であって、そのビットレート（例：155Mbit/s，  622Mbit/s  他）も様々でありえるし、その種類（例：長距離伝送、短距離伝送）も様々でありえる。また、コスト的な優位性をもった短距離の相互接続用の電気信号であるかもしれない（例えば、アクセスハブは、同一のビル内で他の機器と接続される場合など）。伝統的に、伝送インターフェースは、カスタムベースで設計されてきており、回路も、その回路が搭載されるメインカード内に取り込まれるように設計される。それゆえ、特定のカードは、波長が選択され、選択された距離を越えて受信及び送信できるように適合した光電性のレシーバ（受信機）やレーザを備えていることがある。
【発明の開示】
【発明が解決しようとする課題】
【０００３】
インターフェースの種類が増加することの問題は、各種類のインターフェースをサポートするために、多数かつ個別のカード設計が必要となってしまうことである。これによって、より多くの設計者が必要となってしまい、さらに、製造の際に多数のカード設計をサポートする必要も生じてしまう。これを克服するために、種々のユニバーサル（コア）デザインのカードが提案されている。これは、カード上にレーザや受信機を設けずに、単純に、レーザや受信機を備える挿抜可能なモジュール（キャリア）を受け入れ可能なレセプタクルを設けるものである。あるユニバーサルカードは、カードの一つ一つにレーザなどを設けることなく製造でき、その代わり、それぞれ種類の異なる受信機とレーザとを備えるプラグインモジュールのうちの適切な一つを備えている。これらのプラグインモジュールは、ユニバーサルカードにはめ込まれる。（典型的には、プラグインモジュールは、受信機とレーザに対してファイバを光学的に接続させるためのスリーブを有している。）これにより、適切なプラグインモジュールをはめ込むことによって、種々のインターフェースを備えさせることができ、かつ、設計すべきユニバーサルカードの数を削減することに成功している。ユニバーサルカードは、はめ込まれたときにプラグインモジュールの協働する接点と対になる接点を有している。挿抜可能な光モジュールは、実際の光インタフェースを提供するものであるが、これは、スモール・フォーム・プラガブルズ（ＳＦＰ）と呼ばれている。ＳＦＰは、光インタフェースと、メインとなるカードインタフェース回路とを単一のプラグインモジュールに集積したものである。互換性を担保するために、マルチソース・アグリーメント（ＭＳＡ）が設立されている。ＭＳＡは、カードのインターフェースやモジュールの物理的なパラメータの仕様を定めている。
【課題を解決するための手段】
【０００４】
本発明の第１の観点によれば、通信ネットワークインタフェースカード用の挿抜可能なモジュールが提供される。通信ネットワークインタフェースカードは、スモール・フォーム・プラガブル（ＳＦＰ）によるレセプタクルインタフェースを備えている。挿抜可能なモジュールは、一方の側面が、スモール・フォーム・プラガブルのレセプタクルインタフェースによって受け入れられるように構成されている。また、挿抜可能なモジュールは、他方の側面が、他の通信ネットワークユニットと電気的に接続するように構成されている。この電気的な接続は、予め定められた電気的なインターフェースのレート（通信速度）に対して互換性を有している。
【０００５】
本発明の第２の観点によれば、光インタフェースモジュールを受け入れ可能な、通信ネットワークインタフェースカード用の挿抜可能なモジュールが提供される。挿抜可能なモジュールは、電気的なインターフェースを備えている。
【０００６】
これまでは、電気的なインターフェースを提供するために、専用の通信ネットワークインタフェースカードが必要となっていた。本発明のモジュールは、既存の通信ネットワークインタフェースカードと互換性を有し、すなわち、物理的なサイズと、電気的な特性が適切なものとなっている。
【０００７】
挿抜可能なモジュールは、ＩＴＵ ＳＯＮＥＴ、ＳＤＨまたはＰＤＨのインタフェースレートに対して適合していてもよく、適合していれば利点も多いであろう。
【発明を実施するための最良の形態】
【０００８】
通信ネットワークインタフェースカード用の挿抜可能なモジュールについて、一例として、添付の図面を参照しつつ、詳細に説明する。
【０００９】
図１、図２を参照する。通信ネットワークインタフェースカード１は、アクセスハブなどのノート内の接点と協働する、一揃いの接点２を備えている。当該カードは、集積回路などの回路部品（不図示）も備えている。当該カードは、ＳＦＰなどの挿抜可能なモジュール用のキャリア３を備えている。このようなＳＦＰは、典型的に、当該カードへのインターフェースを形成している。支持部（キャリア）３は、長方形のスリーブであり、長方形の長辺がカード側の表面に位置している。スリーブは、開口を有しており、これにより、当該カードのエッジにより近い端部においてＳＦＰを受け入れるようになっている。一般に、カードは、当該ノードにおいて垂直となる平面に搭載され、搭載されることでノード内の接点と接触する接点を有している。ＳＦＰは、左側の端部に受け入れられ、右側の端部の方向にある接点と接触することになろう。
【００１０】
本発明によれば、挿抜可能なモジュール４は、既知のキャリアに差し込むことが可能なように設計されており、かつ、当該モジュールは、光インタフェースの代わりに電気的なインターフェースを備えている。これまでは、電気的なネットワークとインターフェースするために、個別の電気的なカードを設けることが必要であった。図２を参照すると、モジュールは、ターミナルブロック５と、プリント回路基板６を備えている。ターミナルブロック５は、２つの同軸プラグ７、８を備え、支持ブロック９に搭載されている。リード線１０、１１は、ターミナルブロック５とプリント回路基板６とを接続している。プリント回路基板６は、部品（不図示）と、カード１上の協働する接点と接続するための接点１２とを備えている。ターミナルブロックおよびプリント回路基板は、プラスチック素材によりワンピース化された本体内に封入されている。ただし、本体には、接点１２へアクセスできるようにするための開口が設けられている。本体は、電磁波の放射を抑制するために、金属１４による薄いスリーブによって覆われている。
【００１１】
物理的な設計パラメータやカードへのインターフェースについては、既存の光ＳＦＰについて使用されているものと同一のものを使用できる。そのため、デバイスの設計を、ＳＦＰを実装された光インタフェースカードについての既存のデザインに整合させることができ、ＳＴＭ−１や、ＩＴＵによって規格化された他ＳＤＨのレートなど、必要とされる電気的なインターフェースを実現できる。物理的なパラメータやカードへのインターフェースについて、マルチソース・アグリーメント（ＭＳＡ）を遵守することで、直接的なプラグインの互換性を実現できる。
【００１２】
本発明は、ＳＦＰベースの光インタフェースカードについての既存の設計とともに、柔軟な電気的インターフェースを実現できる。
【００１３】
モジュールは、ＳＴＭ−１（155.52 Mbit/s）の電気的インターフェースなど、ＳＤＨ（同期デジタルハイアラーキ）伝送用のインターフェースを提供してもよい。同様に、モジュールは、ＩＴＵによって指定されているように、他のＳＤＨ電気インタフェースレート（例：622Mbit/s，  2.5Gbit/s  他）用のインターフェースを提供できるように構成されてもよい。あるいは、他のモジュールらが、それぞれビットレートが近いＰＤＨインターフェースらを提供してもよい。この場合の各ビットレートらは、効率よく対（ペア）にすることができ、例えば、1.5Mbit/sと2Mbit/sのペア、34Mbit/sと45Mbit/sのペア、その他の如くである。モジュールは、フレキシブルなデザインを提供し、インタフェースレートのプラグインによる適合を容易に実現できる。
【００１４】
図３には、ＳＤＨ  ＳＴＭ−１の電気的インターフェース用の実装についてのブロック図が示されている。モジュールへの電気的な入力は、ボックス１５によって示されている。プリント回路基板６上の回路は、ボックス１６によって示されている。ケーブルドライバ１８は、ＳＴＭ−１の出力用のもので、ケーブル等価器１９は、ＳＴＭ−１の入力用のものである。入力における信号の損失は、インタフェースカードに直接的に伝達される。増幅部と符号化部は、それぞれボックス２０、２１に設けられる。これらは、送信用のものである。復号部および増幅部は、それぞれボックス２２、２３に設けられる。これらは、受信用のものである。ボックス２４は、ＥＥＰＲＯＭであり、不揮発性の記憶デバイスである。ＥＥＰＲＯＭは、モジュールタイプ、インタフェースタイプ、製造日、製造地およびシリアル番号など、モジュールに関する情報を保持するために使用される。
【図面の簡単な説明】
【００１５】
【図１】図１は、通信ネットワークインタフェースカードの平面図である。
【図２】図２は、挿抜可能なモジュールについての平面図である。
【図３】図３は、挿抜可能なモジュールについてのブロック図である。
【図１】
2007518322.tif 000003
【図２】
2007518322.tif 000004
【図３】
2007518322.tif 000005
【国際調査報告】
2007518322.tif 000006
2007518322.tif 000007
2007518322.tif 000008